(57)【要約】      （修正有）【課題】板ガラス表面に可視光より長波長の日射光の反射率が高い低放射膜（Ｌｏｗ−Ｅ膜）を形成したＬｏｗ−Ｅガラスを室外側ガラスとした複層ガラスが使用される。夏季は日射熱量の侵入を軽減し、冬季においては導電膜に通電する事により、結露を完全に防止する事が出来る複層ガラスの提供。【解決手段】室外ガラス１の空気層側に可視光領域の透過率が高く、可視光より長波長の赤外線領域を含む日射反射率が高い低放射膜を形成したＬｏｗ−Ｅガラスを室外側ガラス１として使用し、室内側の空気層側に導電膜を形成した発熱ガラスを室内側ガラスとした複層ガラス１００。【選択図】図１
2014076937.tif 000002
【特許請求の範囲】
【請求項１】
室外側ガラスには、可視光透過率が５０％以上であり、ガラス面入射の日射反射率が３０％以上であり、膜面入射の日射反射率が４０％以上であり、且つ膜の放射率が０．０５以下の低放射膜を複層ガラスの空気層側に形成した低放射ガラスを使用し、室内側ガラスには、可視光透過率が８０％以上、ガラス面入射の日射反射率が１０％以上、膜面入射の日射反射率が１０％以上、膜の放射率が０．２５以下であり、且つ膜面が導電性を有する導電膜を複層ガラスの空気層側に形成した発熱ガラスを使用する事により、空気層の厚みが６ｍｍ以上の複層ガラスにおいて、可視光透過率が４５％以上であり、夏季における遮蔽係数が０．４０以下の遮熱性能を有し、更に冬季においては、前記発熱ガラスに電気を通電する事により、室内側ガラス表面における結露やコールドドラフト、冷放射を防止した事を特徴とする複層ガラス。
【発明の詳細な説明】
【技術分野】
【０００１】      本発明は、住宅やオフィスの窓に使用される複層ガラスに関する。
【背景技術】
【０００２】      従来、夏季の日射熱の侵入を軽減するため、室外側ガラスの空気層側ガラス表面に日射光の反射率が高い低放射膜（Ｌｏｗ−Ｅ膜）を形成したＬｏｗ−Ｅガラスを使用した複層ガラスが使用されている。
【先行技術文献】
【特許文献】
【特許文献】      特許文献１には、低放射膜（Ｌｏｗ−Ｅ膜）を形成したＬｏｗ−Ｅガラスを使用した複層ガラスの例が示されている。
【０００３】
【特許文献１】特開２００７−０７０１４６号公報
【０００４】
【発明の概要】
【発明が解決しようとする課題】
【０００５】      夏季の日射熱量が室内に侵入を軽減するため、板ガラス表面に日射光の反射率が高い低放射膜（Ｌｏｗ−Ｅ膜）を形成したＬｏｗ−Ｅガラスを室外側ガラスとした複層ガラスが使用されるが、冬季において外気温度が低い場合、室内側ガラス表面温が低くなり、ガラス面近傍の室内空気が冷却されて重くなり、低温下降気流（コールドドラフト）が発生し、足元に不快な冷気を感じる。又、室内側ガラス表面温が低いとガラス表面からの冷放射によって、人体には寒さが伝わり不快な環境になる。更に室内側のガラス表面温度も低くなり、室内側ガラス表面温度が室内の湿度で決まる露点温度以下ではガラス表面に結露が発生する等の問題があった。
【課題を解決するための手段】
【０００６】      このため、室外ガラスの空気層側に可視光領域の透過率が高く、可視光より長波長の赤外線領域を含む日射反射率が高い低放射膜（Ｌｏｗ−Ｅ膜）を形成したＬｏｗ−Ｅガラスを室外側ガラスとして使用し、室内側の空気層側に導電膜を形成した発熱ガラスを室内側ガラスとした複層ガラスにより、夏季は日射熱量の侵入を軽減し、冬季においては導電膜に通電する事により導電膜を発熱させて、ガラス表面を温め、コールドドラフトや冷放射を防止し、又室内側ガラスのガラス表面の結露を防止する事が出来る。
【発明の効果】
【０００７】      室外ガラスを可視光領域の透過率が高く、赤外線領域の反射率が高い低放射膜（Ｌｏｗ−Ｅ膜）を形成したＬｏｗ−Ｅガラスとし、室内側ガラスは導電膜を形成した発熱ガラスとした複層ガラスにする事により、室内側から見た透視性が良く室外側から見た意匠性の優れた複層ガラスが可能になる。【０００８】      夏季は日射熱量の侵入を軽減するので、ブラインドや遮光カーテン等を使用しなくても空調負荷が少なくて済むので省エネ効果がある。【０００９】      冬季においては、室内側ガラスの空気層側に形成した導電膜に通電する事により、室内側ガラス表面を温め、コールドドラフトや冷放射を防止し、又室内側ガラスのガラス表面の表面温度を露点温度以上にする事により、結露を完全に防止する事が出来る。【００１０】      オフィス等の広い空間では、冬季のペリメータ領域（窓際から５ｍ位の範囲）ではファンコイル等によって窓際の暖房をするが、内部のインテリア領域では照明機器・事務機器・人体の発熱等によって冷房が必要になる。この時、窓際のファンコイルによる暖房の暖気と内部の冷房による冷気が混合し、ミキシングロスが発生する。このミキシングロスは外気温度が低くなる程ロスが大きくなり、本来の空調負荷の数倍になることもあるが、発熱ガラスを使用する事でファンコイル等による窓際暖房が不要になり、ミキシングロスを完全になくす事ができる。ファンコイル等による窓際暖房が不要になると、設備費用を削減出来ると共に、オフィス空間を有効に使用出来る。【００１１】      冬季の住宅においては、発熱ガラスによりエアコン等の室内暖房は、極く短時間の運転だけで室内温度が一定に保たれ、エアコンによる不快な気流がなくなり、ハウスダストよる空気汚染が無く、結露が無いのでダニが発生する事もなく快適で衛生的な室内環境が得られる。
【図面の簡単な説明】
【００１２】
【図１】本発明の複層ガラスを室外側から見た全体を示す正面図である。
【図２】図１のＡ−Ａ断面を矢視した上部と下部を詳細断面図である。
【図３】室内側ガラスの電極部の一部を模式的に示した詳細図である。
【発明を実施するための形態】
【００１３】      以下、本発明の好適な実施形態について、添付図面を参照しつつ説明する。
【００１４】      図１は本発明の複層ガラス１００を室外側からみた全体図を示す。室外側ガラス１００の周囲には複層ガラスの封着部１０１が形成されており、又封着部上部の端部には発熱膜に通電するためのリード線９が、対向する辺に沿って配置される。前記リード線９は、サッシ（図示せず。）内を通り電源側まで伸びている。
【００１５】      図２は、図１のＡ−Ａ断面の上部と下部を矢視した詳細断面を示し、中央部は省略している。室外側ガラス１と室内側ガラス５の間にはスペーサ６と封着剤８によって、四周に封着部１０１が形成されていて、スペーサ６の内部には乾燥剤７が封入され、スペーサ６には空気層３に連通する隙間（図示せず。）を設け、空気層３内の水分を乾燥剤７が吸収し、空気層３内の空気を乾燥状態に保ち、空気層３内でのガラス表面の結露を防止する。
【００１６】      室外側ガラス１の空気層側には、封着部１０１を除いて低放射膜２が形成される。低放射膜２は、銀等の金属や酸化錫・ＩＴＯ・酸化チタン等の金属酸化物をスッパターにより複数層積層され、可視光領域の透過率が高く、赤外線領域の反射率が高い低放射膜２となっている。又、室内側ガラス５の空気層側には、酸化錫・ＩＴＯ等の導電性のある導電膜４が形成される。
【００１７】スペーサ６はアルミや鉄で作られ、スペーサ６の側面と相対する室外側ガラス１の間には、水分透過率の小さいブチルゴム（図示せず。）が挿間される。又、室内側ガラス５に形成された導電膜４とスペーサ６の側面の間には電気的に絶縁を確保するため、絶縁テープ（図示せず。）をスペーサ側面に貼り、絶縁テープと室内側ガラス５の導電膜４の間には、水分透過率の小さいブチルゴム（図示せず。）が挿間されろ。スペーサ６の外周と室外側ガラス１及び室内側ガラス５によって形成される空間は、シリコンシーラント等による封着剤８が充填され、複層ガラスの空気層内への水分侵入防止と、ガラスとの接着力により複層ガラスとしての強度を確保する。
【００１８】      図３は導電膜４とリード線９を接続する部分の電極部１０２の詳細を示すが、室外側ガラス１と塞外側のブチルゴム及び封着剤は図示していない。導電膜４とスペーサ６の間には、前記の絶縁テープとブチルゴムが挿間されている。導電膜４の室内側ガラス５のエッジ付近は、外郭絶縁確保ため導電膜４の一部が脱膜されている。スペーサ６と室内側ガラス５の段差部には、図示のように導電性粘着剤が塗布された銅箔テープ１１が、略スペーサ６に沿って、対向する２辺に接着されている。この銅箔テープ１１の一端には、リード線９がハンダ１０により電気的に固定されている。このハンダ１０付近を除いて銅箔テープ１１と導電膜４の上を、図示のように電流が流れ易いよう銀ペースト１２が覆っている。
【００１９】      前記のように構成された複層ガラス１００の低放射膜２を形成した室外側ガラス１と導電膜４を形成した室内側ガラス５の光学的・熱的特性の組合せを変えた場合の複層ガラス１００としての光学的・熱的性能の例を次の実施例で示す。
【実施例１】
【００２０】      表１に示す光学的・熱的性能と膜面入射放射率を有する６ｍｍ厚みの室外側ガラス１（Ｌｏｗ−Ｅガラス）と６ｍｍ厚みの室内側ガラス５（発熱ガラス）を使用し、空気層厚み６ｍｍにして組合せた時の、複層ガラス１００としての光学的・熱的性能を計算した結果を表２に示す。計算式は、ＪＩＳ  Ｒ３１０６板ガラス類の透過率・反射率・放射率・日射熱取得率の試験方法、及びＪＩＳ  Ｒ３１０７  板ガラス類の熱抵抗及び建築における熱貫流率の算定方法に依って計算した。この表２から複層ガラス１００としての可視光透過率は５６％、遮蔽係数０．４０となり、遮蔽係数が０．４０以下で、可視光透過率が４５％以上となった。
【表１】
2014076937.tif 000003
【表２】
2014076937.tif 000004
【実施例２】
【００２１】      表３に示す光学的・熱的性能と膜面入射放射率を有する６ｍｍ厚みの室外側ガラス１（Ｌｏｗ−Ｅガラス）と６ｍｍ厚みの室内側ガラス５（発熱ガラス）を使用し、空気層厚み６ｍｍにして組合せた時の、複層ガラス１００としての光学的・熱的性能を計算した結果を表４に示す。計算式は前記と同様である。この表４から複層ガラスとしての可視光透過率は４７％、遮蔽係数０．３３となり、遮蔽係数が０．４０以下で、可視光透過率が４５％以上となった。
【表３】
2014076937.tif 000005
【表４】
2014076937.tif 000006
【００２２】      前記の実施例１と実施例２のように、遮蔽係数が０．４０以下で、夏季においては、日射熱量の侵入を軽減し、且つ可視光透過率が４５％と高くて透明性のある複層ガラスが得られた。【００２３】      前記のように、室外側ガラスには、可視光透過率が５０％以上であり、ガラス面入射の日射反射率が３０％以上であり、膜面入射の日射反射率が４０％以上であり、且つ膜の放射率が０．０５以下の低放射膜を複層ガラスの空気層側に形成した低放射ガラスを使用し、室内側ガラスには、可視光透過率が８０％以上、ガラス面入射の日射反射率が１０％以上、膜面入射の日射反射率が１０％以上、膜の放射率が０．２５以下、且つ膜面が導電性を有する導電膜を複層ガラスの空気層側に形成した発熱ガラスを使用する事により、可視光透過率が４５％以上で、遮蔽係数が０．４０以下の複層ガラスが得られた。更に冬季においては、前記発熱ガラスに電気を通電する事により、室内側ガラス表面における結露やコールドドラフト、冷放射を防止する事が出来る。【００２４】      冬季において、外気温度が−１０℃、室内温度が２４℃の時、一般のフロートガラスを使用した室外側ガラス６ｍｍ、空気層厚み６ｍｍ、室内側ガラス６ｍｍの複層ガラスの場合、室内側のガラス表面温度は１１．０℃となり、室内の湿度が４４％以上になると、ガラス表面に結露が発生する。一方実施例１と実施例２の複層ガラスの場合は、発熱していない時は、室内側のガラス表面温度は１３．４℃となり、室内の湿度が５１％以上になると、ガラス表面に結露が発生する。しかし室内側ガラスの温度を１９℃まで発熱させると、室内の湿度が７４％までは結露せず、この時窓ガラスに必要な電力は、７０Ｗ／ｍ２程度の僅かな電力で済む。又、室内側ガラスの温度を２４℃まで発熱させると結露が発生する事がなく、この時窓ガラスに必要な電力は、１３２Ｗ／ｍ２程度で済む。【００２４】      前記の実施例１と実施例２のように、冬季において室内側ガラスを発熱させる事により僅かな電力で結露を防止出来る。又、コールドドラフトや冷放射が無く、更にはエアコンによる不快な気流もなくなり、ハウスダストやダニによる空気汚染も無く、快適で衛生的な室内環境が得られる。同時に可視光透過率が高く透明性のある複層ガラスが得られた。
【符号の説明】
【００２５】１      室外側ガラス
２      低放射膜
３      空気層
４      導電膜
５      室外側ガラス
６      スペーサ
７      乾燥剤
８      封着剤
９      リード線
１０    ハンダ
１１    銅箔テープ
１２    銀ペースト
１００  複層ガラス
１０１  封着部
１０２  電極部
【図１】
2014076937.tif 000007
【図２】
2014076937.tif 000008
【図３】
2014076937.tif 000009